(57)【要約】【課題】今日は昨日までと比較して暖かくなっているのか寒くなっているのか、その差はどの程度なのか、また昼夜の寒暖の差はどの程度なのかを容易に認識できる寒暖計を提供すること【解決手段】２４時間の気温変化をグラフ表示する表示装置に、現在時刻までの今日気温グラフと昨日までの気温状態のグラフを同時表示し、今日の気温を昨日までの気温と比較できるようにする。【選択図】      図３
2004212369.tif 000002
【特許請求の範囲】
【請求項１】
温度検出手段と、現在時刻を得る時計手段と、一定時間毎に前記温度検出手段で測定した気温データを記憶する記憶手段と、前記気温データを数日分記憶する記憶装置と、時間軸と温度軸から成る気温グラフを表示する表示装置とを備え、前記記憶装置に記憶されている０時から現在時刻までの今日の気温データのグラフと、前記記憶装置に記憶されている昨日までの気温データのグラフを前記表示装置に同時に表示するグラフ表示寒暖計。
【発明の詳細な説明】
【０００１】
【発明の属する技術分野】
家庭等で使用する寒暖計に関する。
【０００２】
【従来の技術】
家庭等で使用されている寒暖計は、棒状気温計や数値表示気温計であり、今現在の気温を表示する計器である。
【０００３】
【発明が解決しようとする課題】
寒暖計を見る目的は、今日の気温が昨日と比べて暖かいのか寒いのか、その差はどの程度なのかを知り、服装などの用心をするためである。しかし、昨日の温度が何度であったかを覚えていないことが殆どで、多くの家庭の寒暖計は、体感する温度を追認するだけのものとなっている。寒暖計本来の目的を実現するために、今日は昨日までと比較して暖かくなっているのか寒くなっているのか、その差はどの程度なのか、また昼夜の寒暖の差はどの程度なのかを容易に認識できる寒暖計を提供することが望まれる。
【０００４】
【課題を解決するための手段】
２４時間の気温変化をグラフ表示する表示装置に、現在時刻までの今日気温グラフと昨日までの気温状態のグラフを同時表示し、今日の気温を昨日までの気温と比較できるようにする。
【０００５】
【発明の実施の形態】
以下、図面に示す一実施例により本発明を具体的に説明する。図１は、本実施例の寒暖計の構成を示すものである。本実施例の寒暖計は、温度検出手段０１と、時計手段０２と、記憶手段０３と、記憶装置０４と、記憶データ更新手段０５と、表示装置０６と、温度目盛設定手段０７と、気温グラフ表示手段０８とから構成される。また、本実施例の寒暖計のイメージを図４に示す。
【０００６】
温度検出手段０１は、熱電対、サーミスタまたは半導体温度センサなどの温度センサを用いて測定した気温をデジタル情報に変換した８ビットの符号付２進数の気温データとして記憶手段０３に受け渡す。図４に示すように、この温度センサ２０は、本寒暖計装置の本体から信号線を伸ばして屋外の気温を測定できるようにしてもよい。
【０００７】
時計手段０２は、水晶振動子などを用いて時間を計測する電子回路で、時刻合わせボタン２１で設定した時点から、現在時刻を知らせる。設定した時刻は、現在時刻２２に表示する。
【０００８】
記憶手段０３は、マイコンとその上で実行するプログラムで実現し、時計手段０２によって現在時刻を知り、０時、１時、・・・２２時、２３時と一日２４回、毎日決まった時刻に温度検出手段０１から受け取った気温データを記憶装置０４の定められた格納領域に記憶する。
【０００９】
記憶装置０４は、前記マイコンの記憶機構を利用し、気温データ用に１６８バイトの領域を持ち、７日分の気温データを記憶する。気温データの記憶領域は、図２に示すように、０バイト目から２３バイト目までを今日の気温データの格納領域とし、２４バイト目から４７バイト目までを昨日の気温データの格納領域とし、以下同様に２日前、３日前、４日前、５日前、６日前の気温データの格納領域をそれぞれ２４バイトずつ割り当てる。各１日分の気温データの格納領域には、０バイト目に午前０時の気温データの格納領域、１バイト目に午前１時の気温データの格納領域、以下同様に各時刻の気温データの格納領域として１バイトずつ割り当てる。
【００１０】
記憶データ更新手段０５は、前記マイコン上のプログラムで実現し、午前０時に、５日前の気温データを６日前の気温データの格納領域に、４日前の気温データを５日前の気温データの格納領域に、以下同様に実行して、今日の気温データを昨日の気温データの格納領域に移動する。このように記憶データを１日分ずらした後に、今日の気温データの格納領域を１６進数‘ＦＦ’でクリアする。
【００１１】
表示装置０６は、発光ダイオードや液晶などを用いた表示装置であり、横軸が時間軸で縦軸が温度軸の気温グラフを表示する表示装置である。横軸は、０時から２３時までに固定的に対応した２４の座標を持つ。縦軸は、１度単位の目盛で、３２度の温度幅の座標を持つ。縦軸の温度の原点は、次に説明する温度目盛設定手段０７で設定した座標原点が表す温度である。グラフの表示は、時刻と温度で定まる座標位置を光らせることで行う。
【００１２】
温度目盛設定手段０７は、表示装置０６の縦軸の温度座標を温度目盛設定ボタン２４のボタン操作で、１０度から４１度、０度から３１度、マイナス１０度から２１度、マイナス２０度から１１度のように、表示する温度領域を１０度単位に変更できるようにする。ボタン操作で設定した１０度、０度、マイナス１０度等の表示座標の原点は、前記マイコン上のプログラムで、記憶装置０４に設ける座標原点に書き込むとともに原点温度２５に表示する。この温度目盛設定手段０７で座標原点をマイナス１０度にした場合は、縦軸の１０ポイント目が０度になり、２０ポイント目が１０度になり、最上位の座標点が２１度になる。
【００１３】
気温グラフ表示手段０８は、前記マイコン上のプログラムで実現し、図３に示すように、今日気温グラフ１０、昨日気温グラフ１１、最高気温グラフ１２、最低気温グラフ１３の４本のグラフを表示装置０６に表示する。今日気温グラフは、記憶装置０４の現時刻までの今日気温データに基づくグラフであり、午前０時から現在時刻までの今日の気温経過を表すグラフである。昨日温度グラフは、記憶装置０４の昨日気温データに基づくグラフであり、昨日の午前０時から２３時までの１時間ごとの気温を表すグラフである。最高気温グラフは、記憶装置０４の一昨日までの５日分の気温データの各時刻における最も高い温度に基づくグラフである。最低気温グラフは、記憶装置０４の一昨日までの５日分の気温データの各時刻における最も低い温度に基づくグラフである。この最高気温グラフと最低気温グラフで挟まれた温度帯が、一昨日まで気温状態であり、昨日、今日の気温変化を把握するためのベースになる。
【００１４】
４本のグラフは３種類の色または明るさで、今日気温グラフおよび昨日気温グラフを他のグラフから識別できるようにする。２本のグラフの一部が同じ温度値となる場合は、今日気温グラフを最優先にし、昨日気温グラフを次に優先して表示する。
【００１５】
気温グラフ表示手段０８は、０時から順次、記憶装置０４から今日気温データ、昨日気温データ、最高気温データ、最低気温データを抽出し、その時刻と温度で決まる表示装置０６の座標点を光らせる。このとき縦軸の座標は、記憶装置０４に記憶されている座標原点を減算して求める。この処理を現在時刻まで繰り返す。現在時刻以降は、昨日気温データ、最高気温データ、最低気温データに関して実行する。なお、気温データの値が表示座標の範囲を超えている場合は、それは表示せず欠落した状態にしておく。
【００１６】
【発明の効果】
本発明は、以上詳述したように、今日の気温経過と昨日までの気温状態のグラフを同時に表示することで、今日の気温は、昨日と同じ程度であろう、２，３日前と同程度に暖かく（涼しく）なるであろう、今までになく暑く（寒く）なるであろうなどと即座に判断できるようになる。これにより、寒暖計を見て服装を選ぶなど、寒暖計が実用的に利用されるようになる。
【図面の簡単な説明】
【図１】本発明の一実施例の構成を示す図
【図２】図１の記憶装置での気温データの記憶形式を示す図
【図３】図１の表示装置での気温グラフの表示例を示す図
【図４】本発明の一実施例の寒暖計のイメージを示す図
【符号の説明】
０１  温度検出手段
０２  時計手段
０３  記憶手段
０６  表示装置
０８  気温グラフ表示手段
１０  今日気温グラフ
１１  昨日気温グラフ
１２  最高気温グラフ
１３  最低気温グラフ
【図１】
2004212369.tif 000003
【図２】
2004212369.tif 000004
【図３】
2004212369.tif 000005
【図４】
2004212369.tif 000006